(57)【要約】      （修正有）【課題】大量生産が可能で、施工も容易であり、環境汚染の可能性が少ないプラスチックスを球状体として使用した転倒防止用シートの提供。【解決手段】免震性構築物に使用するシートであって、粘着性を有する弾性体と、該弾性体の中央部に内蔵する穴あきのドゥナツ型リングと、該ドゥナツ型リングの穴の部分にプラスチック球を内蔵した構造の転倒防止用シートにおいて、ドゥナツ型リング及びプラスチック球が弾性体に内蔵された構造であることを特徴とする。プラスチック球の高さは、弾性体の高さと同等乃至弾性体の高さより大きく、ドゥナツ型リングの高さは、弾性体の高さより低いことを特徴とする。【選択図】図３
0003127732.tif 000002
【実用新案登録請求の範囲】
【請求項１】
免震性構築物に使用する転倒防止用シートであって、粘着性を有する弾性体と、該弾性体の中央部に内蔵する穴あきのドゥナツ型リングと、該ドゥナツ型リングの穴の部分にプラスチック球を内蔵した構造の転倒防止用シートにおいて、
ドゥナツ型リング及びプラスチック球が弾性体に内蔵された構造であること
を特徴とする転倒防止用シート。
【請求項２】
請求項１において、プラスチック球の高さは、弾性体の高さと同等乃至弾性体の高さより高いことを特徴とする転倒防止用シート。
【請求項３】
請求項１において、ドゥナツ型リングの高さは、弾性体の高さより低いことを特徴とする転倒防止用シート。
【請求項４】
請求項１、請求項２、請求項３記載のいずれかの転倒防止用シートであって、
複数の凹みが形成されたプラスチック材料からなる容器の該凹み部に、収容された状態にあることを特徴とする転倒防止用シート。
【請求項５】
請求項１において、プラスチック球の材料として、ポリエチレン、ポリプロピレン、ポリエステルなどの線状高分子や、メラミン樹脂、フェノール樹脂、エポキシ樹脂などの架橋構造を有するプラスチックスであることを特徴とする転倒防止用シート。
【請求項６】
請求項１において、弾性材料として、ポリウレタン、シリコンゴム、アクリルゴムであることを特徴とする転倒防止用シート。
【請求項７】
請求項１において、ドゥナツ型リングの材質として、金属、木材、紙、プラスチックスから選ばれたことを特徴とする転倒防止用シート。
【考案の詳細な説明】
【技術分野】
【０００１】
本考案は、墓石など構築物の転倒防止に有効な転倒防止用シートに関する。
【背景技術】
【０００２】
地震などにより墓石などが倒壊することは広く経験されるところである。このような墓石の倒壊防止のため種々の方法が提案されている。例えば、墓石さお石と墓石土台の間に貫通する金属棒を嵌合させる倒壊防止に関する方法も提案されている（特許文献１）が、施工が困難である欠点がある。本考案者は、弾性材と球状体を使用した転倒防止用シートの提案を行ってきた（特許文献２）。
【０００３】
【特許文献１】特開２００５−１８０１３０号公報
【特許文献２】ＰＣＴ／ＪＰ２００５／１８８４９号公報
【０００４】
しかし、一定の径の金属を原料とした球状体は入手が困難であり、また球状体と、弾性材が離れていると、施工の際不便であるなどの欠点が存在することが認められた。
【考案の開示】
【考案が解決しようとする課題】
【０００５】
そこで本考案の目的は、大量生産が可能で、施工も容易であり、環境汚染の可能性が少ないプラスチックスを球状体として使用した転倒防止用シートの開発である。
【課題を解決するための手段】
【０００６】
すなわち、本考案の転倒防止用シートは、以下の特徴を有する。
（１）  免震性構築物に使用するシートであって、粘着性を有する弾性体と、該弾性体の中央部に内蔵する穴あきのドゥナツ型リングと、該ドゥナツ型リングの穴の部分にプラスチック球を内蔵した構造の転倒防止用シートにおいて、
ドゥナツ型リング及びプラスチック球が弾性体に内蔵された構造であること
を特徴とする。
（２）  （１）において、プラスチック球の高さは、弾性体の高さと同等乃至弾性体の高さより高いことを特徴とする。
（３）  （１）において、ドゥナツ型リングの高さは、弾性体の高さより低いことを特徴とする。
（４）  （１）、（２）、（３）記載のいずれかの転倒防止用シートであって、
複数の凹みが形成されたプラスチック材料からなる容器の該凹み部に、収容された状態にあることを特徴とする。
（５）  （１）において、プラスチック球の材料として、ポリエチレン、ポリプロピレン、ポリエステルなどの線状高分子や、メラミン樹脂、フェノール樹脂、エポキシ樹脂などの架橋構造を有するプラスチックスであることを特徴とする。
（６）  （１）において、弾性材料として、ポリウレタン、シリコンゴム、アクリルゴムであることを特徴とする。
（７）  （１）において、ドゥナツ型リングの材質として、金属、木材、紙、プラスチックスから選ばれたことを特徴とする。
【０００７】
従来転倒防止などに広く使用されてきた、弾性材、あるいは粘着性プラスチックスのみを重量のある構築物などに使用すると、構築物の重量により、弾性材あるいは粘着性プラスチックスが変形して長期の使用に耐えない欠点がある。そこで本考案では、弾性材に加えて、プラスチックスからなる球状体を併用する。
【０００８】
本考案において、球状体に使用されるプラスチックスは、弾性材より弾性があり、力が加えられた時、弾性材より変形し難い。これにより、構築物の重量による力が加わった時、弾性材に過度の力が加わるのを防止しすることが可能となる。
【０００９】
本考案で使用する球状体の形状としては、球、楕円球、立方体、円柱などをあげることができる。本考案において、球状体に使用できるプラスチックスとしては、ポリエチレン、ポリプロピレン、ポリエステルなどの線状高分子や、メラミン樹脂、フェノール樹脂、エポキシ樹脂などの架橋構造を有するプラスチックスをあげることができる。入手が容易であるからである。
【００１０】
本考案において、球状体の偏在を防止するため、ドゥナツ状のリングを使用することが必要である。本考案の転倒防止用シートを製造する際、容器の凹みの中央に球状体を置き、弾性材を流し込んで製造するのであるが、ドゥナツ型リングが存在しないと、弾性材により流されて位置が一定しないからである。またドゥナツ型リングは、その厚みは球状体の直径よりも小さいことが必要であり、底面の形状が扁平であることが好ましい。弾性体を流し込む際、移動し難いからである。
【００１１】
本考案において、ドゥナツ型リング及びプラスチック球が弾性体に内蔵された構造であることであることが必要である。プラスチック球及びドゥナツ型リングが弾性体に内蔵された構造ではなく、離れた構造であると、取扱いの際、プラスチック球が脱落しやすく、また転倒防止用シートの製造が困難となるからである。
【００１２】
本考案において、ドゥナツ型リングの材質として、金属、木材、紙、プラスチックスから選ばれる。本考案において、球状体に使用できるプラスチックスとしては、ポリエチレン、ポリプロピレン、ポリエステルなどの線状高分子や、メラミン樹脂、フェノール樹脂、エポキシ樹脂などの架橋構造を有するプラスチックスをあげることができる。入手が容易であるからである。
【００１３】
本考案において、ドゥナツ型リングの材質として、金属をあげるとことができる。ここに使用できる金属としては、スズ、無鉛ハンダ、真ちゅう、ステンレス、メッキ処理した鉄、金メッキ・銀メッキ処理した真ちゅうをあげることができる。
【００１４】
本考案において、弾性材として使用できる材料としては、ウレタンエラストマー、ポリウレタンゴム、ブチルゴム、シリコンゴム、スチレン・ブタジエン・アクリロニトリルゴムなどの合成ゴム、天然ゴムをあげることができる。
【００１５】
本考案において、転倒防止用シートに使用する弾性材は着色することができる。着色は、好ましくは青（緑）、赤、白、黒に着色される。四方を表す四神は、東（青龍）：青（緑）、南（朱雀）：赤、西（白虎）：白、北（玄武）：黒とされるからである。着色は好ましくは、有機・無機顔料で行われる。
【００１６】
本考案において、転倒防止用シートの製造は、好ましくは、複数の凹みを有するポリオレフィン製容器を使用して行われる。各々の凹みに、ドゥナツ型リングを置き、ドゥナツ型リングの穴に球状体を置き、弾性材料を流し込むことにより作成される。容器に使用されるポリオレフィンは、弾性材料とは接着性が小さいので容易に取り出すことができる。
【００１７】
本考案の転倒防止用シートは、墓石土台、墓石さお石の間などに挟むことにより墓石の転倒防止が可能となる。墓石以外の構築物にも適用可能である。
挟み込む方法としては、墓石土台の上に転倒防止用シートを並べ、墓石さお石を重ねることにより容易に行うことができる。
【考案を実施するための最良の形態】
【００１８】
図１は、本考案の転倒防止用シート１の平面図であり、図２は、本考案の転倒防止用シート１の断面図である。弾性体２のシートの中央部にドゥナツ型リング３があり、該ドゥナツ型リング３の中央穴の部分に球状体４が存在する。ここで、弾性体はポリウレタンであり、プラスチックスはポリアミドである。
【００１９】
図３は、本考案の転倒防止用シートを複数収納した容器の部分断面図である。容器５の凹みの位置にドゥナツ型リング３を配置し、該ドゥナツ型リング３の穴の中央部に球状体４を配し、ポリウレタンからなる弾性体２を流し込み、保護カバー８で覆うことにより製造される。
【００２０】
図４は、本考案の転倒防止用シートを取り出す過程における部分断面図である。
保護カバー８を端で剥離し、本考案の転倒防止用シートを容器５から剥離することにより本考案の転倒防止用シートを取り出すことができる。
【００２１】
図５は、本考案の転倒防止用シート１を墓石土台５の上に載せ、墓石さお石６を重ねる前の断面図である。
図６は、本考案の転倒防止用シート１を墓石土台５の上に載せ、墓石さお石６を重ねた後の断面図である。本考案で使用する球状体４は、墓石さお石６の重量により変形して、弾性体の高さとほぼ同じ高さとなる。
【００２２】
以上の説明によって明らかな様に、本考案による転倒防止用シートは、以下に列挙した如き、実用上の好ましい効果を奏する。
（ａ）  従来から存在する墓に対し墓の土台と、墓の、さお石の間に本考案の構造を設けることにより、地震などの災害から墓の破壊を守ることが可能である。
（ｂ）  従来から存在する墓の大幅な変更を行うことなく実施可能であり、改造費用も低くおさえることが可能であり、広く採用可能となる。
（ｃ）  凹みを有する容器を利用し、凹みの中に複数の転倒防止用シートを作成可能であり転倒防止用シートの生産性が向上した。
（ｄ）  球状体としてプラスチックを使用しており、鉛など有害な金属を使用していないので環境に対する影響がなく、より安全である。
【図面の簡単な説明】
【００２３】
【図１】本考案転倒防止用シートの平面図である。
【図２】本考案転倒防止用シートの断面図である。
【図３】本考案の転倒防止用シートを複数収納した容器の部分断面図である。
【図４】本考案の転倒防止用シートを取り出す過程における部分断面図である。
【図５】本考案シートを墓石土台の上に載せ、墓石さお石を重ねる前の断面図である。
【図６】本考案シートを墓石土台の上に載せ、墓石さお石を重ねた後の断面図である。
【符号の説明】
【００２４】
１    転倒防止用シート
２    弾性体
３    ドゥナツ型リング
４    球状体
５    容器
６    墓石土台
７    墓石さお石
８    保護カバー
【図１】
0003127732.tif 000003
【図２】
0003127732.tif 000004
【図３】
0003127732.tif 000005
【図４】
0003127732.tif 000006
【図５】
0003127732.tif 000007
【図６】
0003127732.tif 000008
【手続補正書】
【提出日】平成18年10月6日(2006.10.6)
【手続補正１】
【補正対象書類名】実用新案登録請求の範囲
【補正対象項目名】請求項６
【補正方法】変更
【補正の内容】
【請求項６】
請求項１において、弾性体の材料として、ポリウレタン、シリコンゴム、アクリルゴムであることを特徴とする転倒防止用シート。
【手続補正２】
【補正対象書類名】明細書
【補正対象項目名】０００６
【補正方法】変更
【補正の内容】
【０００６】
すなわち、本考案の転倒防止用シートは、以下の特徴を有する。
（１）  免震性構築物に使用する転倒防止用シートであって、粘着性を有する弾性体と、該弾性体の中央部に内蔵する穴あきのドゥナツ型リングと、該ドゥナツ型リングの穴の部分にプラスチック球を内蔵した構造の転倒防止用シートにおいて、ドゥナツ型リング及びプラスチック球が弾性体に内蔵された構造であることを特徴とする。
（２）  （１）において、プラスチック球の高さは、弾性体の高さと同等乃至弾性体の高さより高いことを特徴とする。
（３）  （１）において、ドゥナツ型リングの高さは、弾性体の高さより低いことを特徴とする。
（４）  （１）、（２）、（３）記載のいずれかの転倒防止用シートであって、複数の凹みが形成されたプラスチック材料からなる容器の該凹み部に収容された状態にあることを特徴とする。
（５）  （１）において、プラスチック球の材料として、ポリエチレン、ポリプロピレン、ポリエステルなどの線状高分子や、メラミン樹脂、フェノール樹脂、エポキシ樹脂などの架橋構造を有するプラスチックスであることを特徴とする。
（６）  （１）において、弾性材の材料として、ポリウレタン、シリコンゴム、アクリルゴムであることを特徴とする。
（７）  （１）において、ドゥナツ型リングの材質として、金属、木材、紙、プラスチックスから選ばれたことを特徴とする。